(57)【要約】【課題】使い勝手を維持しながら、洗濯機外への水漏れを改善することを目的とする。【解決手段】被洗浄物１８を攪拌するパルセータ６を有した洗濯兼脱水槽５と、洗濯兼脱水槽５を内部に回転自在に設置した水槽４と、洗濯水およびすすぎ水を供給する給水手段１７と、パルセータ６および洗濯兼脱水槽５を回転させる駆動手段８とを備え、洗濯水の給水時は、駆動手段８が洗濯兼脱水槽５を回転させ、洗濯兼脱水槽５の回転数が所定回転数と略同等の回転数まで低下した後に、給水手段１７が洗濯水を供給するものであり、給水口２１から供給される洗濯水が洗濯兼脱水槽５のバランサ１９近傍に位置する被洗浄物１８と衝突しても、被洗浄物１８から洗濯機の外部に飛散するほどの回転力を受けないので、洗濯水が水槽４外へ出て洗濯機１周囲の床面を濡らす虞を改善できる。【選択図】図１
2016202273.tif 000002
【特許請求の範囲】
【請求項１】
外装を構成する筐体と、前記筐体内に配設される水槽と、前記水槽内に回転自在に配設される洗濯兼脱水槽と、前記洗濯兼脱水槽の内底部に回転自在に配設されるパルセータと、前記洗濯兼脱水槽及びパルセータを選択的に回転駆動する駆動手段と、前記水槽内に洗濯水を供給する給水手段と、前記駆動手段及び給水手段を制御する制御手段とを備え、
前記制御手段は、洗濯水の給水時に、前記洗濯兼脱水槽の回転開始の所定時間後に前記給水手段による給水を開始することを特徴とする洗濯機。
【請求項２】
前記所定時間は、洗濯兼脱水槽の回転数が、洗濯兼脱水槽の回転開始から洗濯水給水時のあらかじめ定めた回転数とほぼ同じ回転数まで低下するまでの時間である請求項１に記載の洗濯機。
【発明の詳細な説明】
【技術分野】
【０００１】
本発明は、洗濯、すすぎ、脱水を行なう洗濯機に関する。
【背景技術】
【０００２】
従来、この種の洗濯機１は図３及び図４に示すような構成をしている。以下、その構成について説明する。
【０００３】
図３に示す従来の洗濯機１の縦断面図において、洗濯機１は、筐体３内に水槽４を収容し、水槽４は、筐体３の四隅上部３ａに配置された４本の吊り棒２によって、水槽４の下部４ａを４箇所で吊り下げている。これにより、水槽４は、筐体３内で自由に振れ回ることが可能である。
【０００４】
水槽４の内部には、洗濯兼脱水槽５が脱水時に回転できるように設けられている。洗濯兼脱水槽５は、底部にパルセータ６を回転自在に配設し、パルセータ６の裏面に下側羽根７がパルセータ６と一体に設けられている。
【０００５】
駆動手段８は、減速機構９および回転軸１０を介してパルセータ６と洗濯兼脱水槽５を選択的に駆動する。
【０００６】
洗濯兼脱水槽５内のパルセータ６の下側羽根７外周には、ポンプ室１２が形成され、リント水路１１は、ポンプ室１２から洗濯兼脱水槽５の上部または中部に至るように形成しており、りんと水路１１の上部または中部の吐出口に着脱可能なリントフィルタ１３を設けている。
【０００７】
排水手段１４は、排水弁１５および排水ホース１６から構成されており、水槽４内の洗濯水およびすすぎ水を排水するものである。
【０００８】
洗濯水およびすすぎ水は、給水手段１７を動作させることで、上部枠体２０に設けられた給水口２１から洗濯兼脱水槽５に向けて水槽４内に給水される。
【０００９】
洗濯兼脱水槽５には、側面に水抜き孔５ａが多数設けられており、水槽４および洗濯兼脱水槽５内の洗濯水またはすすぎ水を排水し終わった状態で洗濯兼脱水槽５が駆動手段８により回転すると、被洗浄物１８が遠心力を受けて洗濯兼脱水槽５の側面に移動し、被洗浄物１８に含まれている洗濯水およびすすぎ水が、遠心力により洗濯兼脱水槽５の側面に設けた水抜き孔５ａを介して水槽４へ移動する。水抜き孔５ａの大きさは、ブラジャーのフック等が引っかからない程度の大きさである。
【００１０】
洗濯兼脱水槽５の上部には、脱水時の洗濯兼脱水槽５の振動を低減させるためのバランサ１９を設けている。
【００１１】
洗濯機１の上部を構成する上部枠体２０には、略中央部分に投入口２４が形成され、投入口を開閉自在に閉塞する蓋２２を設けている。蓋２２の前方位置に操作部２３を設けている。
【００１２】
蓋２２を開くと、投入口２４が現れて投入口２４を介して洗濯兼脱水槽５内に被洗浄物１８を出し入れできるようになっている。運転中は、蓋２２を閉塞することにより、投入口２４が覆われるため、使用者が洗濯兼脱水槽５内に手を入れたりする虞がなく安全であ
る。
【００１３】
上記従来の洗濯機の動作を説明すると、使用者が洗濯したい被洗浄物１８を洗濯兼脱水槽５に洗剤とともに投入し、操作部２３に配設されたスタートボタン(図示しない)を操作すると、給水手段１７から被洗浄物１８の量に応じた所定量の洗濯水が水槽４内に供給される。水槽４内に所定量の洗濯水が供給されると、駆動手段８の駆動力を減速機構９および回転軸１０を介して伝達されたパルセータ６が所定の回転数で回転して、洗濯兼脱水槽５内の洗濯水および被洗浄物１８を攪拌し、被洗浄物１８から汚れを落とす洗い行程が行われる。
【００１４】
所定時間の洗い行程の終了後、排水弁１５が動作して水槽４内の洗濯水を排水する。排水が終了すると、駆動手段８が駆動して、洗濯兼脱水槽５が所定の回転数で回転する。洗濯兼脱水槽５の回転により、被洗浄物１８が含んでいる洗濯水を被洗浄物１８から分離して排水する第一の脱水行程が行われる。
【００１５】
第一の脱水行程が所定時間行われると、再び給水手段１７から所定量のすすぎ水が水槽４内に供給され、パルセータ６が所定の回転数で回転して、洗濯兼脱水槽５内のすすぎ水および被洗浄物１８を攪拌して被洗浄物１８に残っている洗剤成分を除去するすすぎ行程が行われる。
【００１６】
所定時間のすすぎ行程が終了すると、排水弁１５が動作して水槽４内のすすぎ水を排水する。排水が終了すると、駆動手段８により洗濯兼脱水槽５を所定の回転数で回転させ、被洗浄物１８が含んでいるすすぎ水を被洗浄物１８から分離して排水する第二の脱水行程が行われる。第二の脱水工程の後、再びすすぎ水が供給されて最終すすぎ行程が行われる。
【００１７】
最終すすぎ行程が終了すると、水槽４内のすすぎ水が排水される。排水が終了すると、駆動手段８により洗濯兼脱水槽５を所定の回転数で回転させ、被洗浄物１８が含んでいるすすぎ水を被洗浄物１８から分離して排水する最終脱水行程が行われ、運転が終了する（特許文献１参照）。
【先行技術文献】
【特許文献】
【００１８】
【特許文献１】特開２００５−６５９９８号公報
【発明の概要】
【発明が解決しようとする課題】
【００１９】
しかしながら、図３及び図４に示す従来の洗濯機１の構成では、以下の課題がある。
【００２０】
運転開始前は、被洗浄物１８は乾燥した状態なので、被洗浄物１８をできるだけ早く含水させるようにすると、運転時間の短縮や洗濯性能の向上が可能となる。
【００２１】
一方で、給水口２１は、被洗浄物１８の取り出し性を損なわないために、図４に示すように、投入口２４の後方位置に配置されている。そのため、洗濯水を給水口２１から給水すると、洗濯水は、主に洗濯兼脱水槽５の後方にだけ供給される。洗濯兼脱水槽５の後方に位置する被洗浄物１８は含水されやすいが、洗濯兼脱水槽５の前方や左右に位置する被洗浄物１８は含水されにくい。被洗浄物１８に均一に洗浄水が供給されないと、被洗浄物１８を均一に含水させるのに時間がかかって運転時間が短縮できない。また、被洗浄物１８に含水が不十分な部分が発生して所望の洗浄性能やすすぎ性能が得られない場合が生じる。このように、洗濯水が被洗浄物１８に均一に供給されないため、運転時間の短縮や洗
濯性能の向上を図れないという課題が発生する。
【００２２】
この課題を解決するために、洗濯水の給水時に、給水手段１７を動作させて給水口２１から洗濯水を洗濯兼脱水槽５に供給させながら、洗濯兼脱水槽５を低速で回転させることが考えられる。これにより、洗濯兼脱水槽５内の被洗浄物１８に均一に洗濯水を供給して被洗浄物１８を均一に含水させることができる。
【００２３】
洗濯水の給水時における洗濯兼脱水槽５の回転数は、回転数を高く設定すると、給水口２１から供給される洗濯水が洗濯兼脱水槽５の上方に位置する被洗浄物１８に衝突した際には、洗濯水が被洗浄物１８から受ける回転力により洗濯機１外へ飛散して洗濯機１周囲の床面を濡らす虞がある。従って、洗濯兼脱水槽５の回転数は、供給される洗濯水が洗濯機１外へ飛び出さない程度の回転数に設定する必要がある。
【００２４】
図３に示すように、被洗浄物１８が洗濯兼脱水槽５の上縁近傍まで洗濯兼脱水槽５内に投入された場合などには、洗濯兼脱水槽５の重量が重くなっており、低速の回転であっても駆動手段８が洗濯兼脱水槽５を回転させるためには大きな起動トルクが必要となる。
【００２５】
大きな起動トルクで洗濯兼脱水槽５を回転させると、図５に示すように、回転初期は、洗濯兼脱水槽５の回転数が所定の給水工程回転数Ａよりも高くなり、その後、回転数が徐々に低下し、所定の給水工程回転数Ａに近づいていく。
【００２６】
例えば、所定の給水工程回転数Ａを３０ｒ／ｍｉｎに設定していると、回転初期は７０〜８０ｒ／ｍｉｎとなり、所定の給水工程回転数Ａの２倍以上の回転数にまで上昇する。
【００２７】
このように、洗濯水の供給開始時は、洗濯兼脱水槽５の回転数は所定の給水工程回転数Ａよりも高くなるので、この状態で給水手段１７を動作させて給水口２１から洗濯水を供給すると、図３に示すように、被洗浄物１８が洗濯兼脱水槽５の上縁近傍まで洗濯兼脱水槽５内に多く投入されている場合には、給水口２１から供給される洗濯水が洗濯兼脱水槽５上部の被洗浄物１８と衝突した際に、被洗浄物１８から回転力を受けて洗濯機１外へ飛散して洗濯機１周囲の床面を濡らす虞があった。
【００２８】
この問題を解決する手段としては、図６に示すように、水槽４の上部に、バランサ１９の上方開放部を覆う内蓋２５を設けることにより、洗濯水が被洗浄物１８と衝突して洗濯兼脱水槽５および水槽４外へ飛び出すのを防止することができる。
【００２９】
しかしながら、被洗浄物１８の出し入れのために内蓋２５を開閉しなければならず、また、内蓋２５が邪魔になって、被洗浄物１８を洗濯兼脱水槽５から出し入れしにくい課題を有している。
【００３０】
本発明は、前記従来の問題に鑑みなされたもので、使い勝手を維持しながら、洗濯機外への水漏れを改善することを目的とする。
【課題を解決するための手段】
【００３１】
前記従来の課題を解決するため、本発明の洗濯機は、外装を構成する筐体と、前記筐体内に配設される水槽と、前記水槽内に回転自在に配設される洗濯兼脱水槽と、前記洗濯兼脱水槽の内底部に回転自在に配設されるパルセータと、前記洗濯兼脱水槽及びパルセータを選択的に回転駆動する駆動手段と、前記水槽内に洗濯水を供給する給水手段と、前記駆動手段及び給水手段を制御する制御手段とを備え、前記制御手段は、洗濯水の給水時に、前記洗濯兼脱水槽の回転開始の所定時間後に前記給水手段による給水を開始するものである。
【００３２】
これにより、被洗浄物に均一に洗濯水を供給して含水させることができる。また、洗濯兼脱水槽の回転開始当初よりも洗濯兼脱水槽の回転数が低下するので、供給される洗濯水が洗濯兼脱水槽の上部近傍に位置する被洗浄物と衝突しても、洗濯水は、洗濯機の外部に飛散するほどの回転力を受けることはなく、洗濯水が水槽外へ出て洗濯機外を濡らす虞を改善することができる。
【発明の効果】
【００３３】
本発明の洗濯機は、洗濯水の水槽外への漏れを改善することができる。
【図面の簡単な説明】
【００３４】
【図１】本発明の実施の形態における洗濯機の縦断面図
【図２】同洗濯機の洗濯水給水時の洗濯兼脱水槽の回転数を表すグラフ
【図３】従来の洗濯機の縦断面図
【図４】同洗濯機の上方から見た簡略図
【図５】同洗濯機の洗濯水給水時の回転数を表すグラフ
【図６】他の従来の洗濯機の縦断面図
【発明を実施するための形態】
【００３５】
第１の発明は、外装を構成する筐体と、前記筐体内に配設される水槽と、前記水槽内に回転自在に配設される洗濯兼脱水槽と、前記洗濯兼脱水槽の内底部に回転自在に配設されるパルセータと、前記洗濯兼脱水槽及びパルセータを選択的に回転駆動する駆動手段と、前記水槽内に洗濯水を供給する給水手段と、前記駆動手段及び給水手段を制御する制御手段とを備え、前記制御手段は、洗濯水の給水時に、前記洗濯兼脱水槽の回転開始の所定時間後に前記給水手段による給水を開始するものである。
【００３６】
これにより、被洗浄物に均一に洗濯水を供給して含水させることができる。また、洗濯兼脱水槽の回転開始当初よりも洗濯兼脱水槽の回転数が低下するので、供給される洗濯水が洗濯兼脱水槽の上部近傍に位置する被洗浄物と衝突しても、洗濯水は、洗濯機の外部に飛散するほどの回転力を受けることはなく、洗濯水が洗濯機の外部へ飛散して洗濯機の周囲の床面を濡らす虞を改善することができる。さらに、運転時間の短縮、洗濯性能の向上を図ることができる。
【００３７】
第２の発明は、前記所定時間は、洗濯兼脱水槽の回転数が、洗濯兼脱水槽の回転開始から洗濯水給水時のあらかじめ定めた回転数とほぼ同じ回転数まで低下するまでの時間であり、洗濯兼脱水槽の回転数を洗濯水給水時の予め定めた回転数まで低下した状態で給水を開始するので、供給される洗濯水が洗濯兼脱水槽の上部近傍に位置する被洗浄物と衝突しても、洗濯水は、洗濯機の外部に飛散するほどの回転力を受けることはなく、洗濯水が洗濯機の外部へ飛散して洗濯機の周囲の床面を濡らす虞を改善することができる。
【００３８】
以下、本発明の実施の形態について、図面を参照しながら説明する。なお、従来技術と同一構成部品は同一符号を付して説明を省略する。本実施の形態によって本発明が限定されるものではない。
【００３９】
（実施の形態１）
図１は、本発明の実施の形態の洗濯機の断面図である。図２は、同洗濯機の給水時における洗濯兼脱水槽の回転数を示す図である。
【００４０】
図１に示す洗濯機１において、筐体３内部には、上部３ａ四隅に４本の吊り棒２を配置し、４本の吊り棒２により水槽４の下部４ａを連結して水槽４が吊り下げられている。水
槽４は、吊り棒２により自由に振れ回ることが可能である。
【００４１】
水槽４の内部には、洗濯兼脱水槽５が脱水回転可能に設けられている。洗濯兼脱水槽５の底部には、パルセータ６が回転自在に配設され、パルセータ６の裏面に下側羽根７がパルセータ６と一体に設けられている。
【００４２】
駆動手段８は、減速機構９および回転軸１０を介してパルセータ６または洗濯兼脱水槽５を選択的に駆動する。
【００４３】
リント水路１１は、パルセータ６の下側羽根７の外周のポンプ室１２から洗濯兼脱水槽５の上部または中部に至るように設けられており、リント水路１１の上部または中部にリントフィルタ１３が着脱自在に設けられている。
【００４４】
排水手段１４は、排水弁１５および排水ホース１６から構成され、水槽４内の洗濯水やすすぎ水を排水するものである。また、排水ホース１６は、筐体３に接続され、水槽４の脱水時の振れ回りに対応するため、蛇腹ホースや伸縮ホースで形成されている。
【００４５】
給水手段１７は、上部枠体２０に設けられた給水口２１を介して、洗濯兼脱水槽５および水槽４内に、洗濯水やすすぎ水を給水する。
【００４６】
洗濯兼脱水槽５の側面には、多数の水抜き孔５ａが設けられており、水槽４および洗濯兼脱水槽５内の洗濯水またはすすぎ水を排水し終わった状態で洗濯兼脱水槽５を駆動手段８が回転させると、被洗浄物１８が遠心力を受けて洗濯兼脱水槽５の側面に移動し、被洗浄物１８に含まれている洗濯水およびすすぎ水が遠心力により洗濯兼脱水槽５の側面に設けた水抜き孔５ａを介して水槽４へ移動していくものである。水抜き孔５ａの大きさは、ブラジャーのフック等が引っかからない程度の大きさである。
【００４７】
洗濯機１の上部を構成する上部枠体２０には、洗濯兼脱水槽５に被洗浄物１８を出し入れする投入口２４を開閉自在に閉塞する蓋２２が設けられ、また、蓋２２の前方または後方に、操作部２３が設けられている。操作部２３を蓋２２の後方に配置した構成では、洗濯機１の前側上部に操作部２３および操作部２３の関連部品がなくなるので、洗濯兼脱水槽５を洗濯機１の前面側に近づけることができ、被洗浄物１８の出入作業性が向上するものである。
【００４８】
洗濯兼脱水槽５の上部には、脱水時の振動を低減させるためのバランサ１９が設けられている。
【００４９】
蓋２２を開くと投入口２４が現れて被洗浄物１８を出し入れすることができ、蓋２２を閉じると、投入口２４が蓋２２により覆い隠されるので、使用者は運転時に手等を入れたりすることがないので安全である。
【００５０】
上記構成において、以下に動作を説明する。洗濯兼脱水槽５に衣類等の被洗浄物１８を投入し、洗濯機１の電源を入れて操作部２３に配置したスタートボタン（図示しない）を押すと、駆動手段８によりパルセータ６が正逆回転して被洗浄物１８の量を検知する。使用者は、操作部２３に表示される必要な洗剤量を所定の位置に投入する（洗濯兼脱水槽５内でもよい）。蓋２２を閉じると、蓋ロック（図示しない）が動作して蓋２２の開放が阻止され、給水手段１７から洗濯兼脱水槽５内に被洗浄物１８の量に応じた所定量の洗濯水が供給される。
【００５１】
洗濯水の給水時は、洗濯兼脱水槽５を低速で回転させる。本実施の形態においては、図
２に示すように、洗濯兼脱水槽５の回転を開始後、洗濯兼脱水槽５の回転数が所定の給水工程回転数Ａと略同等の回転数となるｔ１時間後に、給水手段１７を動作させて給水口２１を介して洗濯兼脱水槽５に洗濯水を給水する。
【００５２】
水槽４内に所定量の洗濯水が供給されると、パルセータ６が正逆回転して被洗浄物１８を洗浄する洗い行程が行われる。
【００５３】
所定時間の洗い行程が終了すると、排水弁１５により水槽４内の洗濯水が洗濯機１外へ排水される。洗濯水の排水が終了すると、駆動手段８により洗濯兼脱水槽５が所定の回転数で回転して、被洗浄物１８が含んでいる洗濯水を被洗浄物１８から分離して排水する第一の脱水行程が行われる。
【００５４】
第一の脱水行程が終了すると、再び給水手段１７から所定量のすすぎ水が水槽４に供給されてパルセータ６が正逆回転し、被洗浄物１８をすすぐ第一のすすぎ行程が行われる。第一のすすぎ行程が終了すると、水槽４内のすすぎ水が洗濯機１外へ排水され、駆動手段８により洗濯兼脱水槽５が所定の回転数で回転して、被洗浄物１８が含んでいるすすぎ水を被洗浄物１８から分離して排水する第二の脱水行程が行われる。第二の脱水行程が終了すると、すすぎ水が供給されて最終すすぎ行程が行われ、最終すすぎ行程の終了後、水槽４内のすすぎ水が排水され、洗濯兼脱水槽５が所定の回転数で回転する最終脱水行程が行われる。
【００５５】
最終脱水行程が行われると、被洗浄物１８を洗濯する運転が終了する。
【００５６】
運転が終了すると、蓋２２を開くことができるように蓋ロックが解除され、使用者は被洗浄物１８を取り出すことが可能となる。
【００５７】
本実施の形態によれば、洗濯兼脱水槽５を低速で回転させて洗濯水を給水する給水工程においては、図２に示すように、洗濯兼脱水槽５の回転を開始後、洗濯兼脱水槽５の回転数が所定の給水工程回転数Ａと略同等の回転数となるｔ１時間後に、給水手段１７を動作させて給水口２１を介して洗濯兼脱水槽５に洗濯水を給水する。これにより、被洗浄物１８に均一に洗濯水を供給して含水させることができる。また、洗濯兼脱水槽５の回転開始直後より回転数が低下するｔ１時間後に給水を開始するので、給水口２１から供給される洗濯水が洗濯兼脱水槽５のバランサ１９近傍に位置する被洗浄物１８と衝突しても、洗濯水は被洗浄物１８から洗濯兼脱水槽５および水槽４外へ飛び出すほどの回転力を受けることはなく、洗濯水が水槽４外へ出て洗濯機１周囲の床面を濡らす虞を改善できる。
【００５８】
なお、すすぎ水を給水する場合も同様に、洗濯兼脱水槽５の回転数が所定の給水工程回転数Ａと略同等の回転数となるｔ１時間後に、給水手段１７を動作させて洗濯兼脱水槽５にすすぎ水を給水してもよい。
【産業上の利用可能性】
【００５９】
以上のように、本発明にかかる洗濯機は、使い勝手を維持しながら、洗濯機外への水漏れの虞を改善することができるので、家庭用の洗濯機だけでなく、業務用の洗濯機の用途にも適用できる。
【符号の説明】
【００６０】
１    洗濯機
４    水槽
５    洗濯兼脱水槽
６    パルセータ
８    駆動手段
１７  給水手段
１８  被洗浄物
【図１】
2016202273.tif 000003
【図２】
2016202273.tif 000004
【図３】
2016202273.tif 000005
【図４】
2016202273.tif 000006
【図５】
2016202273.tif 000007
【図６】
2016202273.tif 000008